(57)【特許請求の範囲】
【請求項１】
支柱と、
前記支柱の一端部に取付けられる取付部材と、
前記支柱が前記取付部材を介して取付けられるベースと、を備えた支柱構造体であって、
前記取付部材は、前記支柱の長手方向と直交する方向外側に延びた領域を有し、
該外側に延びた領域で、前記取付部材が前記ベースに固定可能とされ、
前記取付部材のうち、前記支柱が取付けられる側と反対側には、前記支柱から離れる方向に突出する突起が形成されており、
前記取付部材の突起が前記ベースに形成される開口に係合可能とされる支柱構造体。
【請求項２】
前記ベースの開口は、前記ベースの面から立設する複数の立設片により形成される溝状であり、前記立設片の端部には前記溝幅を狭めるように突出する端片を備えており、
前記取付部材の突起は、前記取付部材の１つの端部に設けられた第一突起と、その反対側の端部に設けられた第二突起と、を有して構成され、前記第一突起は、垂下部及び前記垂下部の下端から突出する第１係合部を具備し、前記第二突起は、垂下部及び該垂下部の下端から突出して傾斜部を含む第２係合部を備えており、
前記第１係合部及び前記第２係合部が前記端片に係合可能とされる、請求項１に記載の支柱構造体。
【請求項３】
前記取付部材が、前記支柱の端面に取付けられる取付板と、前記支柱の端面に設けられた固定部に前記取付板を螺合する螺合部材と、を有するものである請求項１又は２に記載の支柱構造体。
【請求項４】
前記突起は前記取付板に設けられ、
前記螺合部材は、前記第１係合部と前記第２係合部との間で前記取付板を前記ベースに固定する請求項３に記載の支柱構造体。
【請求項５】
前記ベースが、一対のレール材により形成されるレールと、該レールの間に配置される複数の台座と、を有しており、
前記台座に前記支柱が取り付けられ、
前記ベースの開口は前記レール材が伸びる方向に沿って形成されている請求項１乃至４のいずれかに記載の支柱構造体。
【請求項６】
前記支柱は、支柱本体と、該支柱本体の外周を囲んで配置される外装材と、を備えており、前記取付部材は前記支柱本体に取り付けられる請求項１乃至５のいずれかに記載の支柱構造体。
【請求項７】
一対のレール材を地面に敷設する工程と、
前記一対のレール材に台座を取り付ける工程と、
支柱に支柱端部より大きい面積を有する請求項１乃至６のいずれかに記載の取付部材を固定する工程と、
前記取付部材を台座に上方から固定する工程と、
を含む支柱構造体の施工方法。
【請求項８】
前記取付部材の一端部を台座に引っ掛けた状態で回転させ、前記取付部材の他端部を前記台座に固定する請求項７に記載の支柱構造体の施工方法。
【発明の詳細な説明】
【技術分野】
【０００１】
本発明は、複数の支柱が立設して並べられた構造体である支柱構造体、及び該支柱構造体の施工方法に関し、詳しくは複数の支柱が所定の間隔で直線又は曲線に沿って並べられた支柱構造体及び支柱構造体の施工方法に関する。
【背景技術】
【０００２】
庭や敷地の境界部分等に、装飾や仕切りを目的としてフェンスを設けることがある。このフェンスの中には複数の支柱が並べられるようにして配置されているものがある。複数の支柱をどのように並べるかによって外観に与える印象も異なり、複数の支柱が直線状に限らず所定の曲線に沿って並べられる場合もある。
【０００３】
一方で、支柱を直線に沿って並べる場合でも、所定の曲線状に沿って並べる場合でも、複数の支柱を精度よく予定通りに並べて配置するには多くの手間がかかることが知られている。これに対して、複数の支柱を所望の態様で並べることができる技術が特許文献１、２に開示されている。
【０００４】
特許文献１では、支持部材４に格子部材３の下端部を被せ、ベース部材５に対する格子部材３の立設状態（垂直度）を調整した後、タッピングスクリュー７を格子部材３の下端部壁板から支持部材４の支持板部４２ａ・４２ｂにねじこんで、格子部材３を支持部材４を介してベース部材５に固定している。特許文献２では、Ｌ字金具４の起立壁３２から支柱４をネジ５止めしている。
【先行技術文献】
【特許文献】
【０００５】
【特許文献１】特開２００９−１７４１２５号公報
【特許文献２】特開２０１１−１４４５２４号公報
【発明の概要】
【発明が解決しようとする課題】
【０００６】
しかしながら、特許文献１、２に記載される構造は、支柱側壁にタッピングスクリューもしくはネジで固定するものであり、支持板部４２や起立壁２が当接可能なように平面である必要があった。
【０００７】
本発明は、支柱外形の自由度を高くした場合に簡単に施工できる支柱構造体、及びその施工方法の提供を目的とする。
【課題を解決するための手段】
【０００８】
以下、本発明について説明する。ここではわかりやすさのため、図面の参照符号を括弧書きで付記するが、本発明はこれに限定されるものではない。
【０００９】
請求項１に記載の発明は、支柱（３０）と、支柱の一端部に取付けられる取付部材（２
０）と、支柱が取付部材を介して取付けられるベース（１０）と、を備えた支柱構造体（
１）であって、取付部材は、支柱の長手方向と直交する方向外側に延びた領域を有し、該
外側に延びた領域で、取付部材がベースに固定可能とされ、取付部材（２０）のうち、支柱（３０）が取付けられる側と反対側には、支柱から離れる方向に突出する突起（２１ｂ、２１ｅ）が形成されており、取付部材の突起がベースに形成される開口（１３ｂ）に係合可能とされる支柱構造体である。
【００１１】
請求項２に記載の発明は、請求項１に記載の支柱構造体（１）において、ベースの開口（１３ｂ）は、ベースの面から立設する複数の立設片（１３ｃ）により形成される溝状であり、立設片の端部には前記溝幅を狭めるように突出する端片（１３ｄ）を備えており、取付部材（２０）の突起は、前記取付部材の１つの端部に設けられた第一突起（２１ｂ）と、その反対側の端部に設けられた第二突起（２１ｅ）と、を有して構成され、第一突起は、垂下部（２１ｃ）及び該垂下部の下端から突出する第１係合部（２１ｄ）を具備し、第二突起（２１ｅ）は、垂下部（２１ｆ）及び該垂下部の下端から突出して傾斜部を含む第２係合部（２１ｇ）を備えており、第１係合部及び第２係合部が端片に係合可能とされる。
【００１２】
請求項３に記載の発明は、請求項１又は２に記載の支柱構造体（１）において、取付部材（２０）が、支柱（３０）の一端面に取付けられる取付板（２１）と、支柱の端面に設けられた固定部（３０ａ）に取付板を螺合する螺合部材（２２）と、を有するものである。
【００１３】
請求項４に記載の発明は、請求項３に記載の支柱構造体（１）において、突起（２１ｂ、２１ｅ）は取付板（２１）に設けられ、螺合部材（２２）は、第一突起（２１ｂ）と前記第二突起（２１ｅ）との間で取付板をベースに固定する。
【００１４】
請求項５に記載の発明は、請求項１乃至４のいずれかに記載の支柱構造体（１）において、ベース（１０）が、一対のレール材（１２）により形成されるレール（１１）と、該レールの間に配置される複数の台座（１３）と、を有しており、台座に支柱（３０）が取り付けられ、ベースの開口（１３ｂ）はレール材が伸びる方向に沿って形成されている。
【００１５】
請求項６に記載の発明は、請求項１乃至５のいずれかに記載の支柱構造体（１）において、支柱（３０）は、支柱本体（３１）と、該支柱本体の外周を囲んで配置される外装材（３２）と、を備えており、取付部材（２０）は支柱本体に取り付けられる。
【００１６】
請求項７に記載の発明は、一対のレール材（１２）を地面に敷設する工程と、一対のレール材に台座（１３）を取り付ける工程と、支柱（３０）に支柱端部より大きい面積を有する請求項１乃至６のいずれかに記載の取付部材（２０）を固定する工程と、取付部材を台座に上方から固定する工程と、を含む支柱構造体の施工方法である。
【００１７】
請求項８に記載の発明は、請求項７に記載の支柱構造体の施工方法において、取付部材（２０）の一端部を台座（１３）に引っ掛けた状態で回転させ、取付部材の他端部を台座（１３）に固定する。
【発明の効果】
【００１８】
本発明によれば、支柱の端面に固定部が設けられ、この固定部に取り付けられた取付部材により支柱がベースに立設されるので、支柱の断面形状を問わず該支柱をベースに連結することが可能となる。これにより支柱の形状の設計自由度が向上し、施工も容易になる。
【図面の簡単な説明】
【００１９】
【図１】１つの実施形態にかかる支柱構造体を正面から見た図である。
【図２】支柱構造体の一部を示した斜視図である。
【図３】台座の斜視図である。
【図４】支柱、装飾材及び取付部材の分解斜視図である。
【図５】取付板の斜視図である。
【図６】支柱の断面形状を説明する図である。
【図７】支柱構造体の施工方法の一場面を示す図である。
【図８】支柱構造体の施工方法の他の一場面を示す図である。
【図９】支柱構造体の施工方法の他の一場面を示す図である。
【発明を実施するための形態】
【００２０】
本発明のこのような作用及び利得は、次に説明する発明を実施するための形態から明らかにされる。以下本発明を図面に示す実施形態に基づき説明する。ただし、本発明はこれら実施形態に限定されるものではない。
【００２１】
図１は、１つの実施形態にかかる支柱構造体１を正面から見た図である。本実施形態の支柱構造体１は、庭や敷地の境界部分に設けられるフェンスである。また、図２には支柱構造体１の一部を斜視図で表した。
図１からわかるように本実施形態の支柱構造体１では、図１にＩａで表した地面の上に設置されたベース１０から立設するように複数の支柱３０が並べられるように配列される。ここで複数の支柱３０はそれぞれ取付部材２０を介してベース１０に固定されている。
また、支柱構造体１は、図１にＩｂで示した位置にまでコンクリートで埋められ、その下部構造はコンクリートに覆われることにより隠蔽されている。これにより、支柱３０に具備された複数の外装材３２のみが人の目に触れるように突出して表れ、フェンスとして機能している。
以下、図１、図２、及び適宜示す各図を参照しつつ、支柱構造体１について説明する。
【００２２】
支柱構造体１は、ベース１０、取付部材２０、及び支柱３０を有して構成されている。
【００２３】
ベース１０は、複数の支柱３０を立設して保持する機能を有するとともに、支柱３０が並べられるべき方向を規定する部材である。従ってベース１０は支柱３０が並べられるべき方向に沿って延びる長尺の部材である。本実施形態のベース１０は図２からわかるようにレール１１及び台座１３を備えている。
【００２４】
レール１１は、長尺である２つのレール材１２が所定の間隔を有して平行に延びるように構成された部材である。従って本実施形態ではレール１１が支柱３０が並べられるべき方向に沿って延び、支柱３０の配列方向を規定している。レール１１が延びる方向の具体的な形態は、支柱３０の配列形態により適宜決定することができ、直線状、曲線状、又はその組み合わせ等、必要な形状とすることが可能である。
【００２５】
また、レール１１を構成する２つのレール材１２のうち、互いに対向する面には長手方向に連続する突出した凸部１２ａが形成されている。この凸部１２ａは、次に説明する台座１３に設けられたレール固定溝１３ａに係合され、２つのレール材１２の間に台座１３を保持する機能を有する。
【００２６】
台座１３は、全体としてブロック状の部材であり、レール材１２間に配置され、２つのレール材１２を渡すようにそれぞれに固定される。台座１３はレール１１に沿って所定の間隔で複数配置される。後で説明するように、台座１３には取付部材２０を介して支柱３０が固定されるので、台座１３は支柱３０が取り付けられるべき位置に配置される。
【００２７】
各台座１３はつぎのような形状を有している。図３に台座１３の斜視図を示した。台座１３は全体として中空の直方体ブロック状である。中空であることにより部材に用いられる材料の量を減らすことが可能とされている。
台座１３のうち、レール材１２に対向して配置される面には、レール材１２に固定されるための溝であるレール固定溝１３ａが設けられている。従って、レール固定溝１３ａはレール材１２と同じ方向に延びるように形成されている。
【００２８】
また、台座１３のうち、支柱３０が立設される側の面が、支柱３０を固定するための開口部を形成する溝である支柱固定溝１３ｂが複数設けられている。支柱固定溝１３ｂが延びる方向は特に限定されることはないが、レール固定溝１３ａと同じ方向であることが好ましい。これにより例えば押し出し成形により台座１３を作製することができ、生産性の観点から利点がある。
支柱固定溝１３ｂは複数の立設片１３ｃが並べられその間隙が支柱固定溝１３ｂを形成している。また立設片１３ｃの先端部には支柱固定溝１３ｂを狭める方向に突出する突起である端片１３ｄが設けられている。
【００２９】
図１、図２に戻って取付部材２０について説明する。また、図４には、取付部材２０及び後に説明する支柱３０の分解斜視図を示した。図２、図４からわかるように、取付部材２０は、取付板２１及び螺合部材２２を有している。図５には取付板２１の斜視図を示した。
【００３０】
取付板２１は板状の部材であり、その板面を貫通する孔２１ａが設けられている。孔２１ａの数や配置は特に限定されることはないが、支柱３０に設けられた固定部３０ａ（図６参照）の位置に対応するように配置されている。
また、取付板２１には、板状の端部のうち、１つの端部とその反対側の端部が曲げられたように垂下された突起である第一突起２１ｂ及び第二突起２１ｅが設けられている。
第一突起２１ｂは垂下された垂下部２１ｃと該垂下部２１ｃの先端に設けられた突起状の第一係合部２１ｄを有している。一方、第二突起２１ｅは垂下された垂下部２１ｆと該垂下部２１ｆの先端に設けられた突起状の第二係合部２１ｇを有している。第二係合部２１ｇには、垂下部２１ｆの先端に向けて細くなるように形成された傾斜部２１ｈが設けられている。
第一突起２１ｂ及び第二突起２１ｅは上記した台座１３の支柱固定溝１３ｂ内に挿入できるように形成されている。従って、第一突起２１ｂ及び第二突起２１ｅの間隔は、複数の支柱固定溝１３ｂのうちのいずれか２つの間隔と同じである。そして第一係合部２１ｄ及び第二係合部２１ｇが台座１３の端片１３ｄに係合する。
【００３１】
また、取付板２１のうち、第一突起２１ｂ及び第二突起２１ｅ間に配置されている面、すなわち後述するように支柱３０の端面が接する面の面積は、支柱３０の端面において該端面の外周により囲まれる面積よりも大きいことが好ましい。これにより安定してベース１０と支柱３０とを連結することができる。
すなわち、取付板２１は、支柱３０の長手方向と直交する方向外側に延びた領域を有し、この外側に延びた領域に第一突起２１ｂ及び第二突起２１ｅを備えている。
【００３２】
螺合部材２２は本実施形態ではネジであり、取付板２１の孔２１ａを貫通し、支柱３０に設けられた固定部３０ａ（図６参照）に螺合する。
【００３３】
次に支柱３０について説明する。図１、図２、及び図４に支柱３０の一部が表れている。また、図６には図２にＶＩ−ＶＩで示した線に沿って切断した図を示し、ここには支柱３０の断面形状が表れている。支柱３０は支柱本体３１と外装材３２とを有して構成されている。
【００３４】
支柱本体３１は図６に表われた所定の断面を有して延びる長尺の部材で、図１、図２、図４ではその一部が外装材３２により隠蔽されているが、図６からわかるように支柱本体３１は支柱構造体１の上部に至るまで延びている。本発明の支柱構造体１は、複数の支柱３０を所定の方向に配列するためのものである。
【００３５】
本実施形態では支柱本体３１は図６に表れた断面を有してその長手方向に延びているので、支柱本体３１の端面も図６に表れた断面と同様の形状を有している。従って支柱本体３１はその少なくとも１つの端面において、上記した取付部材２０を固定するための固定部３０ａを備えている。本実施形態で固定部３０ａはタッピングホールである。これにより支柱本体３１は、後述するようにその断面形状とは関係なく端面で取付部材２０に固定することが可能となる。従って、支柱本体３１の断面形状は特に限定されることなく適宜好みの断面形状を選択することが可能である。上記固定部を有していれば中空であるか中実であるかも限定されない。ただし、軽量化や使用される材料の量の観点から中空であることが好ましい。
ここで、当該端面は、端面の外周で囲まれた面積が、上記した取付板２１のうち、第一突起２１ｂ及び第二突起２１ｅに挟まれ、支柱３０の端面が接触する面の面積よりも小さいことが好ましい。
【００３６】
外装材３２は、支柱本体３１の長手方向外周面を囲むように配置され、支柱本体３１に保持される長尺の部材であり、本実施形態で支柱構造体１を設置した状態で支柱構造体１の外観を形成する。従って外装材３２はデザインの観点から具備される部材であり、形状や色彩は限定されることはない。
【００３７】
以上のような各構成部材が次のように組み合わされることにより支柱構造体１が構成されている。すなわち、図２からわかるように、レール１１を構成する２つのレール材１２間に所定の間隔を有して複数の台座１３が取り付けられている。このとき、レール材１２の凸部１２ａが台座１３のレール固定溝１３ａ（図３参照）に挿入されることにより台座１３をレール１１に保持できる。台座１３はさらに不図示のネジによりレール材１２に固定されてもよい。
一方、図４に示したように、支柱本体３１の端面に取付部材２０の取付板２１が接触され、取付部材２０の螺合部材２２が取付板２１の孔２１ａを貫通して支柱本体３１の端面に設けられた固定部３０ａに螺合している。これにより取付部材２０が支柱３０の端面に固定されている。
ここで、支柱３０の端面における該端面の外周に囲まれる面積よりも、取付板２１のうち支柱３０の端面が接触する面の面積が大きく形成されている。また、取付板２１は、支柱３０の長手方向と直交する方向外側に延びた領域を有し、この外側に延びた領域に第一突起２１ｂ及び第二突起２１ｅを備えている。
【００３８】
また、ベース１０と取付部材２０とは、取付部材２０の取付板２１の第一突起２１ｂ及び第二突起２１ｅ（図５参照）が、ベース１０の台座１３に備えられる支柱固定溝１３ｂ内に挿入されており、これにより少なくとも仮固定及び位置決めがされている。さらに不図示のネジにより取付板２１と台座１３とが固定されもよい。
【００３９】
以上のように組み合わさた構造により、図１、図２のような支柱構造体１とされている。このような支柱構造体１によれば、複数の支柱３０の配列がベース１０により規定されているので、容易に精度よく複数の支柱３０を配列することが可能である。
また、支柱３０とベース１０との連結が支柱３０の端面により行われているので、支柱３０の断面形状によらず、いずれの断面形状であっても同様に支柱３０をベース１０に連結することが可能である。従来においては、支柱とベースとの連結が支柱の長手方向の外周面で行われていたので、支柱の断面形状によってはベースとの連結ができない、又は困難なことがあり、支柱として採用することができる断面形状に制約があった。これに対して本発明によればこのような不具合を解消することができ、支柱の形状の設計自由度を高めることが可能となった。
【００４０】
次に、支柱構造体１の施工方法について説明する。
所定の長さ方向に延びるように成形されたレール１１を、設置すべき場所に載置する。次に図７に示したように、レール１１の端部から２つのレール材１２間に台座１３を摺動させるようにして挿入する。このときレール材１２の凸部１２ａを台座１３のレール固定溝１３ａ内に差し込むように配置する。そしてそのまま摺動させて支柱３０を配置すべき位置にまで台座１３を移動させる。台座１３を配置させるべき位置に移動したらネジによりレール材１２と台座１３とを固定してもよい。
全ての台座１３がレール１１に取り付けられることによりベース１０が形成される。ベース１０が形成された後、これを地面に対して固定するため、アンカーが打たれる。
【００４１】
一方、複数の支柱３０のそれぞれには図４に示したように、取付板２１を螺合部材２２により取り付ける。これは支柱３０の端面に取付板２１を接触し、ネジ２２を取付板２１の孔２１ａを貫通して支柱３０の端面に設けられた固定部３０ａに螺合することにより行うことができる。
【００４２】
準備したベース１０に、取付部材２０を取り付けた支柱３０を取り付ける。その際には図８に示したように、支柱３０のうち取付部材２０を取り付けた側の端部を台座１３に上から被せるように近づける。そして初めに取付板２１の第一突起２１ｂを支柱固定溝１３ｂに差し込む。次に、図９に矢印ＩＸで示したように回転するように、取付板２１の第二突起２１ｅを台座１３の支柱固定溝１３ｂに差し込む。これにより少なくとも支柱３０がベース１０に仮に固定され、簡易に仮固定及び位置決めをすることができる。この際、第二突起２１ｅにはその先端に傾斜部２１ｈが設けられているので、当該挿入が円滑に行われる。
その後、ネジ等により取付板２１と台座１３とを固定することにより強固な固定となる。
【００４３】
全ての支柱３０を台座１３に固定することにより、複数の支柱３０が所望の配列で立設した形状となる。そして最終的に図１にＩｂに示した位置までコンクリートで埋めて支柱構造体１が地面に固定される。
【００４４】
このように、本実施形態によれば、支柱３０の位置決め及び配置が非常に容易になる。その結果、支柱の設計の自由度を高めることができることに加え、支柱の配置精度や施工の迅速化を図ることが可能となる。
【００４５】
以上説明した実施形態にかかる支柱構造体は１つの例示であり、本発明はこれに限定されるものではない。例えば次のような事項を挙げることができる。
本実施形態ではベース１０はレール１１と台座１３とを有して構成されていたがこれに限定されることはなく、例えばベースが台座１３を支柱の配列方向に延ばしたように形成された部材であってもよい。
また本実施形態では、支柱本体３１に外装材３２が配置された形態であったが、支柱自体が装飾的機能を有し、フェンスの分野におけるいわゆる枕木を形成してもよい。
【００４６】
以上説明した実施形態では、支柱構造体１の１つの例としてフェンスを例示したが、支柱構造体を適用することができる構造体はこれに限定されることなく、他の支柱構造体に適用することもできる。例えば支柱が板状であることにより塀構造とされてもよく、支柱に電灯や表札ががつけられた玄関回りの構造体としてもよい。
【符号の説明】
【００４７】
１  支柱構造体
１０  ベース
１１  レール
１２  レール材
１３  台座
２０  取付部材
２１  取付板
２２  螺合部材
３０  支柱
３０ａ  固定部
３１  支柱本体
３２  外装材
【図１】
0005956222.tif 000002
【図２】
0005956222.tif 000003
【図３】
0005956222.tif 000004
【図４】
0005956222.tif 000005
【図５】
0005956222.tif 000006
【図６】
0005956222.tif 000007
【図７】
0005956222.tif 000008
【図８】
0005956222.tif 000009
【図９】
0005956222.tif 000010